(57)【要約】【課題】本発明はピーラークリーニング装置を開示した。【解決手段】クリーニング箱を含み、前記クリーニング箱の中にはクリーニングチャンバが設置され、前記クリーニングチャンバの右側には移動チャンバが連通して設置され、手で圧し板を圧し、取っ手を置き、圧し板と固定板によりきつく挟み、揺りロッドを回転させ、移動ロッドを連動させて回転させ、これにより固定箱が前後に移動し、洗浄機構の中にある刷毛によりブレードを洗浄し、攪拌機構の中にある混合液体が出口から流出し、ブレードがきれいに洗浄されることを保証し、しかも洗浄する時に手が傷つくことを防止できる。【選択図】図１
2020179492.tif 000002
【特許請求の範囲】
【請求項１】
クリーニング箱を含み、前記クリーニング箱の中にはクリーニングチャンバが設置され、前記クリーニングチャンバの右側には移動チャンバが連通して設置され、前記移動チャンバの中には取っ手とブレードが設置され、前記移動チャンバの中にはまた前記取っ手を固定できる固定機構が設置され、前記固定機構は固定チャンバを含み、前記固定チャンバの頂壁と底壁との間には圧しロッドが回転できるように装着され、前記固定機構の上方には攪拌機能を有する攪拌機構が設置され、前記攪拌機構の中にはハンドルと長ロッドとが設置され、前記長ロッドには攪拌ロッドが固定的に装着され、手でハンドルを回転させることにより、長ロッドを連動させて混合液を攪拌させ、前記クリーニングチャンバの中には前記ブレードと取っ手を洗浄できる洗浄機構が設置され、前記洗浄機構の中にはネジ山チャンバが設置され、前記ネジ山チャンバの中にはネジブロックがスライドできるように装着され、前記ネジブロックの中には上へ開口したネジ孔が設置されることを特徴とするピーラークリーニング装置。
【請求項２】
前記固定機構は前記移動チャンバの中にスライドできるように装着される固定箱を含み、前記固定チャンバが前記固定箱の中に設置され、前記圧しロッドには圧し板が固定的に装着され、前記圧しロッドにおいて前記圧し板の上方には捻りばねが固定的に装着され、前記固定チャンバの底壁には固定板が固定的に装着され、前記取っ手が前記圧し板と前記固定板によりきつく挟まれ、前記ブレードが前記取っ手の左側端面に固定的に装着され、前記移動チャンバの後側内壁の中には前記クリーニング箱の前側端面を貫通している移動ロッドが回転できるように装着され、前記移動ロッドの前側端面には揺りロッドが固定的に装着され、手で前記圧し板を圧し、前記取っ手を置き、前記圧し板と前記固定板によりきつく挟み、前記揺りロッドを回転させ、移前記動ロッドを連動させて回転させ、これにより前記固定箱が前後に移動することを特徴とする請求項１に記載のピーラークリーニング装置。
【請求項３】
前記洗浄機構は前記ネジブロックの底部端面に設置されるスライド溝を含み、前記スライド溝と前記クリーニングチャンバの底壁との間には擦りブロックがスライドできるように装着され、前記クリーニングチャンバの前後内壁にはばねチャンバが設置され、前後の前記ばねチャンバの間にはスライドロッドがスライドできるように装着され、前記スライドロッドの左側端面と前記ばねチャンバの左側内壁との間にはばねが固定的に装着され、前記スライドロッドには前記擦りブロックと連結される連結ロッドが固定的に装着され、前記擦りブロックには刷毛が固定的に装着され、前記ネジ山チャンバの頂壁の中には回転ロッドが回転できるように装着され、前記回転ロッドが前記ネジ孔とネジ山により装着され、前記回転ロッドの頂部端面にはつまみが固定的に装着され、前記クリーニングチャンバの左側内壁には第一流出孔が連通して設置され、前記クリーニングチャンバの右側内壁には第二流出孔が連通して設置され、前記つまみを回転させ、前記回転ロッドを連動させて回転させ、前記回転ロッドが回転して前記ネジブロックを連動させて上下へ移動させ、上下の前記擦りブロックの間の距離を調整し、前記スライドロッドが前記ばねチャンバの中でスライドし、前記刷毛が前記ブレードと前記取っ手を洗浄できることを特徴とする請求項１に記載のピーラークリーニング装置。
【請求項４】
前記攪拌機構は前記移動チャンバの上方に設置される攪拌チャンバを含み、前記攪拌チャンバの頂壁には入口が設置され、前記ハンドルが前記長ロッドの頂部端面に固定的に装着され、前記攪拌チャンバの底壁の中には挿し溝が連通して設置され、前記挿し溝の中には前記クリーニング箱の頂部端面を貫通している引きロッドがスライドできるように装着され、前記引きロッドの頂部端面には引きブロックが固定的に装着され、前記攪拌チャンバの左側内壁にはノズルが連通して固定的に装着され、前記ノズルの中には出口が設置され、水と洗剤の混合物が前記入口から前記攪拌チャンバに入れ、前記ハンドルを回転させることにより、前記長ロッドを連動させて回転させ、前記長ロッドが回転して前記攪拌ロッドを連動させて回転させ、混合液体を攪拌し、前記引きロッドを開け、混合液体が前記出口から流出することを特徴とする請求項１に記載のピーラークリーニング装置。
【発明の詳細な説明】
【技術分野】
【０００１】
本発明は物のクリーニング技術分野を取り上げて、具体的にはピーラークリーニング装置である。
【背景技術】
【０００２】
ピーラーが使用された後、ピーラーが錆付くことを防止し、且つ次回の使用に便利に与えるために、ピーラーを洗浄する必要があり、一般的には、手でピーラーのブレードを洗う時、手を傷つける可能性があり、しかも手で洗うとピーラーをきれいに洗浄することができなく、残渣を残し、次回に使用する時、健康に影響するかもしれない。
【先行技術文献】
【特許文献】
【０００３】
【特許文献１】中国特許出願公開第１０９１９８６６９号明細書
【発明の概要】
【発明が解決しようとする課題】
【０００４】
本発明はピーラークリーニング装置を提供し、従来技術における上記欠点を解消することを目的とする。
【課題を解決するための手段】
【０００５】
本発明の実施例のピーラークリーニング装置は、クリーニング箱を含み、前記クリーニング箱の中にはクリーニングチャンバが設置され、前記クリーニングチャンバの右側には移動チャンバが連通して設置され、前記移動チャンバの中には取っ手とブレードが設置され、前記移動チャンバの中にはまた前記取っ手を固定できる固定機構が設置され、前記固定機構は固定チャンバを含み、前記固定チャンバの頂壁と底壁との間には圧しロッドが回転できるように装着され、前記固定機構の上方には攪拌機能を有する攪拌機構が設置され、前記攪拌機構の中にはハンドルと長ロッドとが設置され、前記長ロッドには攪拌ロッドが固定的に装着され、手でハンドルを回転させることにより、長ロッドを連動させて混合液を攪拌させ、前記クリーニングチャンバの中には前記ブレードと取っ手を洗浄できる洗浄機構が設置され、前記洗浄機構の中にはネジ山チャンバが設置され、前記ネジ山チャンバの中にはネジブロックがスライドできるように装着され、前記ネジブロックの中には上へ開口したネジ孔が設置される。
【０００６】
更の技術プランとしては、前記固定機構は前記移動チャンバの中にスライドできるように装着される固定箱を含み、前記固定チャンバが前記固定箱の中に設置され、前記圧しロッドには圧し板が固定的に装着され、前記圧しロッドにおいて前記圧し板の上方には捻りばねが固定的に装着され、前記固定チャンバの底壁には固定板が固定的に装着され、前記取っ手が前記圧し板と前記固定板によりきつく挟まれ、前記ブレードが前記取っ手の左側端面に固定的に装着され、前記移動チャンバの後側内壁の中には前記クリーニング箱の前側端面を貫通している移動ロッドが回転できるように装着され、前記移動ロッドの前側端面には揺りロッドが固定的に装着され、これにより手で圧し板を圧し、取っ手を置き、圧し板と固定板によりきつく挟み、揺りロッドを回転させ、移動ロッドを連動させて回転させ、これにより固定箱が前後に移動する。
【０００７】
更の技術プランとしては、前記洗浄機構は前記ネジブロックの底部端面に設置されるスライド溝を含み、前記スライド溝と前記クリーニングチャンバの底壁との間には擦りブロックがスライドできるように装着され、前記クリーニングチャンバの前後内壁にはばねチャンバが設置され、前後の前記ばねチャンバの間にはスライドロッドがスライドできるように装着され、前記スライドロッドの左側端面と前記ばねチャンバの左側内壁との間にはばねが固定的に装着され、前記スライドロッドには前記擦りブロックと連結される連結ロッドが固定的に装着され、前記擦りブロックには刷毛が固定的に装着され、前記ネジ山チャンバの頂壁の中には回転ロッドが回転できるように装着され、前記回転ロッドが前記ネジ孔とネジ山により装着され、前記回転ロッドの頂部端面にはつまみが固定的に装着され、前記クリーニングチャンバの左側内壁には第一流出孔が連通して設置され、前記クリーニングチャンバの右側内壁には第二流出孔が連通して設置され、これによりつまみを回転させ、回転ロッドを連動させて回転させ、回転ロッドが回転してネジブロックを連動させて上下へ移動させ、上下の擦りブロックの間の距離を調整し、スライドロッドがばねチャンバの中でスライドし、刷毛がブレードと取っ手を洗浄できる。
【０００８】
更の技術プランとしては、前記攪拌機構は前記移動チャンバの上方に設置される攪拌チャンバを含み、前記攪拌チャンバの頂壁には入口が設置され、前記ハンドルが前記長ロッドの頂部端面に固定的に装着され、前記攪拌チャンバの底壁の中には挿し溝が連通して設置され、前記挿し溝の中には前記クリーニング箱の頂部端面を貫通している引きロッドがスライドできるように装着され、前記引きロッドの頂部端面には引きブロックが固定的に装着され、前記攪拌チャンバの左側内壁にはノズルが連通して固定的に装着され、前記ノズルの中には出口が設置され、これにより水と洗剤の混合物が入口から攪拌チャンバに入れ、ハンドルを回転させることにより、長ロッドを連動させて回転させ、長ロッドが回転して攪拌ロッドを連動させて回転させ、混合液体を攪拌し、引きロッドを開け、混合液体が出口から流出する。
【発明の効果】
【０００９】
本発明の有益効果は：本発明は固定機構の中にある固定板と圧し板の相互作用により、取っ手を挟み、移動ロッドを回転させ、取っ手の前後移動を連動させ、洗浄機構の中にある刷毛によりブレードを洗浄し、攪拌機構の中にある混合液体が出口から流出し、ブレードがきれいに洗浄されることを保証し、しかも洗浄する時に手が傷つくことを防止し、普及の価値がある。
【図面の簡単な説明】
【００１０】
【図１】図１は本発明の構成模式図
【図２】図２は図１の中のＡ−Ａ方向の断面構成模式図
【図３】図３は図１の中のＢ−Ｂ方向の断面構成模式図
【図４】図４はノズルの構成模式図
【発明を実施するための形態】
【００１１】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜４を参照し、本発明の実施例のピーラークリーニング装置は、クリーニング箱１１を含み、前記クリーニング箱１１の中にはクリーニングチャンバ１２が設置され、前記クリーニングチャンバ１２の右側には移動チャンバ２４が連通して設置され、前記移動チャンバ２４の中には取っ手４４とブレード４３が設置され、前記移動チャンバ２４の中にはまた前記取っ手４４を固定できる固定機構８０が設置され、前記固定機構８０は固定チャンバ２７を含み、前記固定チャンバ２７の頂壁と底壁との間には圧しロッド２３が回転できるように装着され、前記固定機構８０の上方には攪拌機能を有する攪拌機構７０が設置され、前記攪拌機構７０の中にはハンドル３３と長ロッド３１とが設置され、前記長ロッド３１には攪拌ロッド２９が固定的に装着され、手でハンドル３３を回転させることにより、長ロッド３１を連動させて混合液を攪拌させ、前記クリーニングチャンバ１２の中には前記ブレード４３と取っ手４４を洗浄できる洗浄機構９０が設置され、前記洗浄機構９０の中にはネジ山チャンバ４０が設置され、前記ネジ山チャンバ４０の中にはネジブロック４１がスライドできるように装着され、前記ネジブロック４１の中には上へ開口したネジ孔３９が設置される。
【００１３】
有益的には、前記固定機構８０は前記移動チャンバ２４の中にスライドできるように装着される固定箱４７を含み、前記固定チャンバ２７が前記固定箱４７の中に設置され、前記圧しロッド２３には圧し板４５が固定的に装着され、前記圧しロッド２３において前記圧し板４５の上方には捻りばね２６が固定的に装着され、前記固定チャンバ２７の底壁には固定板２５が固定的に装着され、前記取っ手４４が前記圧し板４５と前記固定板２５によりきつく挟まれ、前記ブレード４３が前記取っ手４４の左側端面に固定的に装着され、前記移動チャンバ２４の後側内壁の中には前記クリーニング箱１１の前側端面を貫通している移動ロッド２８が回転できるように装着され、前記移動ロッド２８の前側端面には揺りロッド４６が固定的に装着され、これにより手で圧し板４５を圧し、取っ手４４を置き、圧し板４５と固定板２５によりきつく挟み、揺りロッド４６を回転させ、移動ロッド２８を連動させて回転させ、これにより固定箱４７が前後に移動する。
【００１４】
有益的には、前記洗浄機構９０は前記ネジブロック４１の底部端面に設置されるスライド溝４２を含み、前記スライド溝４２と前記クリーニングチャンバ１２の底壁との間には擦りブロック１９がスライドできるように装着され、前記クリーニングチャンバ１２の前後内壁にはばねチャンバ１４が設置され、前後の前記ばねチャンバ１４の間にはスライドロッド１６がスライドできるように装着され、前記スライドロッド１６の左側端面と前記ばねチャンバ１４の左側内壁との間にはばね１５が固定的に装着され、前記スライドロッド１６には前記擦りブロック１９と連結される連結ロッド１３が固定的に装着され、前記擦りブロック１９には刷毛１８が固定的に装着され、前記ネジ山チャンバ４０の頂壁の中には回転ロッド３７が回転できるように装着され、前記回転ロッド３７が前記ネジ孔３９とネジ山により装着され、前記回転ロッド３７の頂部端面にはつまみ３８が固定的に装着され、前記クリーニングチャンバ１２の左側内壁には第一流出孔１７が連通して設置され、前記クリーニングチャンバ１２の右側内壁には第二流出孔２２が連通して設置され、これによりつまみ３８を回転させ、回転ロッド３７を連動させて回転させ、回転ロッド３７が回転してネジブロック４１を連動させて上下へ移動させ、上下の擦りブロック１９の間の距離を調整し、スライドロッド１６がばねチャンバ１４の中でスライドし、刷毛１８がブレード４３と取っ手４４を洗浄できる。
【００１５】
有益的には、前記攪拌機構７０は前記移動チャンバ２４の上方に設置される攪拌チャンバ３０を含み、前記攪拌チャンバ３０の頂壁には入口３２が設置され、前記ハンドル３３が前記長ロッド３１の頂部端面に固定的に装着され、前記攪拌チャンバ３０の底壁の中には挿し溝３４が連通して設置され、前記挿し溝３４の中には前記クリーニング箱１１の頂部端面を貫通している引きロッド３６がスライドできるように装着され、前記引きロッド３６の頂部端面には引きブロック３５が固定的に装着され、前記攪拌チャンバ３０の左側内壁にはノズル２１が連通して固定的に装着され、前記ノズル２１の中には出口２０が設置され、これにより水と洗剤の混合物が入口３２から攪拌チャンバ３０に入れ、ハンドル３３を回転させることにより、長ロッド３１を連動させて回転させ、長ロッド３１が回転して攪拌ロッド２９を連動させて回転させ、混合液体を攪拌し、引きロッド３６を開け、混合液体が出口２０から流出する。
【００１６】
使用する時、水と洗剤の混合物が入口３２から攪拌チャンバ３０に入れ、ハンドル３３を回転させることにより、長ロッド３１を連動させて回転させ、長ロッド３１が回転して攪拌ロッド２９を連動させて回転させ、混合液体を攪拌し、引きロッド３６を開け、混合液体が出口２０から流出し、手で圧し板４５を圧し、取っ手４４を置き、圧し板４５と固定板２５によりきつく挟み、つまみ３８を回転させ、回転ロッド３７を連動させて回転させ、回転ロッド３７が回転してネジブロック４１を連動させて上下へ移動させ、上下の擦りブロック１９の間の距離を調整し、スライドロッド１６がばねチャンバ１４の中でスライドし、刷毛１８がブレード４３と取っ手４４を洗浄できる。
【００１７】
本発明の有益効果は：本発明は固定機構の中にある固定板と圧し板の相互作用により、取っ手を挟み、移動ロッドを回転させ、取っ手の前後移動を連動させ、洗浄機構の中にある刷毛によりブレードを洗浄し、攪拌機構の中にある混合液体が出口から流出し、ブレードがきれいに洗浄されることを保証し、しかも洗浄する時に手が傷つくことを防止し、普及の価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179492.tif 000003
【図２】
2020179492.tif 000004
【図３】
2020179492.tif 000005
【図４】
2020179492.tif 000006
【手続補正書】
【提出日】令和2年9月12日(2020.9.12)
【手続補正１】
【補正対象書類名】特許請求の範囲
【補正対象項目名】全文
【補正方法】変更
【補正の内容】
【特許請求の範囲】
【請求項１】
クリーニング箱を含み、前記クリーニング箱の中にはクリーニングチャンバが設置され、前記クリーニングチャンバの右側には移動チャンバが連通して設置され、前記移動チャンバには取っ手とブレードが設置され、前記取っ手と前記ブレードの一部分が前記クリーニングチャンバの内部に位置しており、前記取っ手と前記ブレードとはピーラーを構成し、前記移動チャンバの中にはまた前記取っ手を固定できる固定機構が設置され、前記固定機構は固定チャンバを含み、前記固定チャンバの頂壁と底壁との間には圧しロッドが回転できるように装着され、前記固定機構の上方には攪拌機能を有する攪拌機構が設置され、前記攪拌機構の中にはハンドルと長ロッドとが設置され、前記長ロッドには攪拌ロッドが固定的に装着され、手でハンドルを回転させることにより、長ロッドを連動させて混合液体を攪拌させ、前記クリーニングチャンバの中には前記ブレードと取っ手を洗浄できる洗浄機構が設置され、前記洗浄機構の中にはネジ山チャンバが設置され、前記ネジ山チャンバの中にはネジブロックがスライドできるように装着され、前記ネジブロックの中には上へ開口したネジ孔が設置され、
前記固定機構は前記移動チャンバの中にスライドできるように装着される固定箱を含み、前記固定チャンバが前記固定箱の中に設置され、前記圧しロッドには圧し板が固定的に装着され、前記圧しロッドにおいて前記圧し板の上方と前記固定箱との間には捻りばねが固定的に装着され、前記固定チャンバの底壁には固定板が固定的に装着され、前記取っ手が前記圧し板と前記固定板によりきつく挟まれ、前記ブレードが前記取っ手の左側端面に固定的に装着され、前記移動チャンバの後側内壁の中には前記クリーニング箱の前側端面を貫通している移動ロッドが回転できるように装着され、前記移動ロッドと前記固定箱とがネジ山により連結され、前記移動ロッドの前側端面には揺りロッドが固定的に装着され、手で前記圧し板を圧し、前記取っ手を置き、前記圧し板と前記固定板によりきつく挟み、前記揺りロッドを回転させ、移前記動ロッドを連動させて回転させ、これにより前記固定箱が前後に移動し、
前記洗浄機構は前記ネジブロックの底部端面に設置されるスライド溝を含み、前記スライド溝と前記クリーニングチャンバの底壁との間には擦りブロックがスライドできるように装着され、前記クリーニングチャンバの前後内壁にはばねチャンバが設置され、前後の前記ばねチャンバの間にはスライドロッドがスライドできるように装着され、前記スライドロッドの左側端面と前記ばねチャンバの左側内壁との間にはばねが固定的に装着され、前記スライドロッドには前記擦りブロックと連結される連結ロッドが固定的に装着され、前記擦りブロックには刷毛が固定的に装着され、前記ネジ山チャンバの上壁には回転ロッドが回転できるように装着され、前記回転ロッドの下端が前記ネジ山チャンバに延びており、前記回転ロッドが前記ネジ孔とネジ山により装着され、前記回転ロッドの頂部端面にはつまみが固定的に装着され、前記クリーニングチャンバの左側内壁には第一流出孔が連通して設置され、前記クリーニングチャンバの右側内壁には第二流出孔が連通して設置され、前記つまみを回転させ、前記回転ロッドを連動させて回転させ、前記回転ロッドが回転して前記ネジブロックを連動させて上下へ移動させ、上下の前記擦りブロックの間の距離を調整し、前記スライドロッドが前記ばねチャンバの中でスライドし、前記刷毛が前記ブレードと前記取っ手を洗浄でき、
前記攪拌機構は前記移動チャンバの上方に設置される攪拌チャンバを含み、前記攪拌チャンバの頂壁には入口が設置され、前記ハンドルが前記長ロッドの頂部端面に固定的に装着され、前記攪拌チャンバの底壁の中には挿し溝が連通して設置され、前記挿し溝の中には前記クリーニング箱の頂部端面を貫通している引きロッドがスライドできるように装着され、前記引きロッドの頂部端面には引きブロックが固定的に装着され、前記攪拌チャンバの左側内壁にはノズルが連通して固定的に装着され、前記ノズルの中には出口が設置され、水と洗剤の混合物が前記入口から前記攪拌チャンバに入れ、前記ハンドルを回転させることにより、前記長ロッドを連動させて回転させ、前記長ロッドが回転して前記攪拌ロッドを連動させて回転させ、混合液体を攪拌し、前記引きロッドを開け、混合液体が前記出口から流出することを特徴とするピーラークリーニング装置。
【手続補正２】
【補正対象書類名】明細書
【補正対象項目名】全文
【補正方法】変更
【補正の内容】
【発明の詳細な説明】
【技術分野】
【０００１】
本発明は物のクリーニング技術分野を取り上げて、具体的にはピーラークリーニング装置である。
【背景技術】
【０００２】
ピーラーが使用された後、ピーラーが錆付くことを防止し、且つ次回の使用に便利に与えるために、ピーラーを洗浄する必要があり、一般的には、手でピーラーのブレードを洗う時、手を傷つける可能性があり、しかも手で洗うとピーラーをきれいに洗浄することができなく、残渣を残し、次回に使用する時、健康に影響するかもしれない。
【先行技術文献】
【特許文献】
【０００３】
【特許文献１】中国特許出願公開第１０９１９８６６９号明細書
【発明の概要】
【発明が解決しようとする課題】
【０００４】
本発明はピーラークリーニング装置を提供し、従来技術における上記欠点を解消することを目的とする。
【課題を解決するための手段】
【０００５】
本発明の実施例のピーラークリーニング装置は、クリーニング箱を含み、前記クリーニング箱の中にはクリーニングチャンバが設置され、前記クリーニングチャンバの右側には移動チャンバが連通して設置され、前記移動チャンバには取っ手とブレードが設置され、前記取っ手と前記ブレードの一部分が前記クリーニングチャンバの内部に位置しており、前記取っ手と前記ブレードとはピーラーを構成し、前記移動チャンバの中にはまた前記取っ手を固定できる固定機構が設置され、前記固定機構は固定チャンバを含み、前記固定チャンバの頂壁と底壁との間には圧しロッドが回転できるように装着され、前記固定機構の上方には攪拌機能を有する攪拌機構が設置され、前記攪拌機構の中にはハンドルと長ロッドとが設置され、前記長ロッドには攪拌ロッドが固定的に装着され、手でハンドルを回転させることにより、長ロッドを連動させて混合液体を攪拌させ、前記クリーニングチャンバの中には前記ブレードと取っ手を洗浄できる洗浄機構が設置され、前記洗浄機構の中にはネジ山チャンバが設置され、前記ネジ山チャンバの中にはネジブロックがスライドできるように装着され、前記ネジブロックの中には上へ開口したネジ孔が設置される。
【０００６】
更の技術プランとしては、前記固定機構は前記移動チャンバの中にスライドできるように装着される固定箱を含み、前記固定チャンバが前記固定箱の中に設置され、前記圧しロッドには圧し板が固定的に装着され、前記圧しロッドにおいて前記圧し板の上方と前記固定箱との間には捻りばねが固定的に装着され、前記固定チャンバの底壁には固定板が固定的に装着され、前記取っ手が前記圧し板と前記固定板によりきつく挟まれ、前記ブレードが前記取っ手の左側端面に固定的に装着され、前記移動チャンバの後側内壁の中には前記クリーニング箱の前側端面を貫通している移動ロッドが回転できるように装着され、前記移動ロッドと前記固定箱とがネジ山により連結され、前記移動ロッドの前側端面には揺りロッドが固定的に装着され、これにより手で圧し板を圧し、取っ手を置き、圧し板と固定板によりきつく挟み、揺りロッドを回転させ、移動ロッドを連動させて回転させ、これにより固定箱が前後に移動する。
【０００７】
更の技術プランとしては、前記洗浄機構は前記ネジブロックの底部端面に設置されるスライド溝を含み、前記スライド溝と前記クリーニングチャンバの底壁との間には擦りブロックがスライドできるように装着され、前記クリーニングチャンバの前後内壁にはばねチャンバが設置され、前後の前記ばねチャンバの間にはスライドロッドがスライドできるように装着され、前記スライドロッドの左側端面と前記ばねチャンバの左側内壁との間にはばねが固定的に装着され、前記スライドロッドには前記擦りブロックと連結される連結ロッドが固定的に装着され、前記擦りブロックには刷毛が固定的に装着され、前記ネジ山チャンバの上壁には回転ロッドが回転できるように装着され、前記回転ロッドの下端が前記ネジ山チャンバに延びており、前記回転ロッドが前記ネジ孔とネジ山により装着され、前記回転ロッドの頂部端面にはつまみが固定的に装着され、前記クリーニングチャンバの左側内壁には第一流出孔が連通して設置され、前記クリーニングチャンバの右側内壁には第二流出孔が連通して設置され、これによりつまみを回転させ、回転ロッドを連動させて回転させ、回転ロッドが回転してネジブロックを連動させて上下へ移動させ、上下の擦りブロックの間の距離を調整し、スライドロッドがばねチャンバの中でスライドし、刷毛がブレードと取っ手を洗浄できる。
【０００８】
更の技術プランとしては、前記攪拌機構は前記移動チャンバの上方に設置される攪拌チャンバを含み、前記攪拌チャンバの頂壁には入口が設置され、前記ハンドルが前記長ロッドの頂部端面に固定的に装着され、前記攪拌チャンバの底壁の中には挿し溝が連通して設置され、前記挿し溝の中には前記クリーニング箱の頂部端面を貫通している引きロッドがスライドできるように装着され、前記引きロッドの頂部端面には引きブロックが固定的に装着され、前記攪拌チャンバの左側内壁にはノズルが連通して固定的に装着され、前記ノズルの中には出口が設置され、これにより水と洗剤の混合物が入口から攪拌チャンバに入れ、ハンドルを回転させることにより、長ロッドを連動させて回転させ、長ロッドが回転して攪拌ロッドを連動させて回転させ、混合液体を攪拌し、引きロッドを開け、混合液体が出口から流出する。
【発明の効果】
【０００９】
本発明の有益効果は：本発明は固定機構の中にある固定板と圧し板の相互作用により、取っ手を挟み、移動ロッドを回転させ、取っ手の前後移動を連動させ、洗浄機構の中にある刷毛によりブレードを洗浄し、攪拌機構の中にある混合液体が出口から流出し、ブレードがきれいに洗浄されることを保証し、しかも洗浄する時に手が傷つくことを防止し、普及の価値がある。
【図面の簡単な説明】
【００１０】
【図１】図１は本発明の構成模式図
【図２】図２は図１の中のＡ−Ａ方向の断面構成模式図
【図３】図３は図１の上面視の断面構造概略図
【図４】図４はノズルの構成模式図
【発明を実施するための形態】
【００１１】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１２】
図１〜４を参照し、本発明の実施例のピーラークリーニング装置は、クリーニング箱１１を含み、前記クリーニング箱１１の中にはクリーニングチャンバ１２が設置され、前記クリーニングチャンバ１２の右側には移動チャンバ２４が連通して設置され、前記移動チャンバ２４には取っ手４４とブレード４３が設置され、前記取っ手４４と前記ブレード４３の一部分が前記クリーニングチャンバ１２の内部に位置しており、前記取っ手４４と前記ブレード４３とはピーラーを構成し、前記移動チャンバ２４の中にはまた前記取っ手４４を固定できる固定機構８０が設置され、前記固定機構８０は固定チャンバ２７を含み、前記固定チャンバ２７の頂壁と底壁との間には圧しロッド２３が回転できるように装着され、前記固定機構８０の上方には攪拌機能を有する攪拌機構７０が設置され、前記攪拌機構７０の中にはハンドル３３と長ロッド３１とが設置され、前記長ロッド３１には攪拌ロッド２９が固定的に装着され、手でハンドル３３を回転させることにより、長ロッド３１を連動させて混合液体を攪拌させ、前記クリーニングチャンバ１２の中には前記ブレード４３と取っ手４４を洗浄できる洗浄機構９０が設置され、前記洗浄機構９０の中にはネジ山チャンバ４０が設置され、前記ネジ山チャンバ４０の中にはネジブロック４１がスライドできるように装着され、前記ネジブロック４１の中には上へ開口したネジ孔３９が設置される。
【００１３】
有益的には、前記固定機構８０は前記移動チャンバ２４の中にスライドできるように装着される固定箱４７を含み、前記固定チャンバ２７が前記固定箱４７の中に設置され、前記圧しロッド２３には圧し板４５が固定的に装着され、前記圧しロッド２３において前記圧し板４５の上方と前記固定箱４７との間には捻りばね２６が固定的に装着され、前記固定チャンバ２７の底壁には固定板２５が固定的に装着され、前記取っ手４４が前記圧し板４５と前記固定板２５によりきつく挟まれ、前記ブレード４３が前記取っ手４４の左側端面に固定的に装着され、前記移動チャンバ２４の後側内壁の中には前記クリーニング箱１１の前側端面を貫通している移動ロッド２８が回転できるように装着され、前記移動ロッド２８と前記固定箱４７とがネジ山により連結され、前記移動ロッド２８の前側端面には揺りロッド４６が固定的に装着され、これにより手で圧し板４５を圧し、取っ手４４を置き、圧し板４５と固定板２５によりきつく挟み、揺りロッド４６を回転させ、移動ロッド２８を連動させて回転させ、これにより固定箱４７が前後に移動する。
【００１４】
有益的には、前記洗浄機構９０は前記ネジブロック４１の底部端面に設置されるスライド溝４２を含み、前記スライド溝４２と前記クリーニングチャンバ１２の底壁との間には擦りブロック１９がスライドできるように装着され、前記クリーニングチャンバ１２の前後内壁にはばねチャンバ１４が設置され、前後の前記ばねチャンバ１４の間にはスライドロッド１６がスライドできるように装着され、前記スライドロッド１６の左側端面と前記ばねチャンバ１４の左側内壁との間にはばね１５が固定的に装着され、前記スライドロッド１６には前記擦りブロック１９と連結される連結ロッド１３が固定的に装着され、前記擦りブロック１９には刷毛１８が固定的に装着され、前記ネジ山チャンバ４０の上壁には回転ロッド３７が回転できるように装着され、前記回転ロッド３７の下端が前記ネジ山チャンバ４０に延びており、前記回転ロッド３７が前記ネジ孔３９とネジ山により装着され、前記回転ロッド３７の頂部端面にはつまみ３８が固定的に装着され、前記クリーニングチャンバ１２の左側内壁には第一流出孔１７が連通して設置され、前記クリーニングチャンバ１２の右側内壁には第二流出孔２２が連通して設置され、これによりつまみ３８を回転させ、回転ロッド３７を連動させて回転させ、回転ロッド３７が回転してネジブロック４１を連動させて上下へ移動させ、上下の擦りブロック１９の間の距離を調整し、スライドロッド１６がばねチャンバ１４の中でスライドし、刷毛１８がブレード４３と取っ手４４を洗浄できる。
【００１５】
有益的には、前記攪拌機構７０は前記移動チャンバ２４の上方に設置される攪拌チャンバ３０を含み、前記攪拌チャンバ３０の頂壁には入口３２が設置され、前記ハンドル３３が前記長ロッド３１の頂部端面に固定的に装着され、前記攪拌チャンバ３０の底壁の中には挿し溝３４が連通して設置され、前記挿し溝３４の中には前記クリーニング箱１１の頂部端面を貫通している引きロッド３６がスライドできるように装着され、前記引きロッド３６の頂部端面には引きブロック３５が固定的に装着され、前記攪拌チャンバ３０の左側内壁にはノズル２１が連通して固定的に装着され、前記ノズル２１の中には出口２０が設置され、これにより水と洗剤の混合物が入口３２から攪拌チャンバ３０に入れ、ハンドル３３を回転させることにより、長ロッド３１を連動させて回転させ、長ロッド３１が回転して攪拌ロッド２９を連動させて回転させ、混合液体を攪拌し、引きロッド３６を開け、混合液体が出口２０から流出する。
【００１６】
使用する時、水と洗剤の混合物が入口３２から攪拌チャンバ３０に入れ、ハンドル３３を回転させることにより、長ロッド３１を連動させて回転させ、長ロッド３１が回転して攪拌ロッド２９を連動させて回転させ、混合液体を攪拌し、引きロッド３６を開け、混合液体が出口２０から流出し、手で圧し板４５を圧し、取っ手４４を置き、圧し板４５と固定板２５によりきつく挟み、つまみ３８を回転させ、回転ロッド３７を連動させて回転させ、回転ロッド３７が回転してネジブロック４１を連動させて上下へ移動させ、上下の擦りブロック１９の間の距離を調整し、スライドロッド１６がばねチャンバ１４の中でスライドし、刷毛１８がブレード４３と取っ手４４を洗浄できる。
【００１７】
本発明の有益効果は：本発明は固定機構の中にある固定板と圧し板の相互作用により、取っ手を挟み、移動ロッドを回転させ、取っ手の前後移動を連動させ、洗浄機構の中にある刷毛によりブレードを洗浄し、攪拌機構の中にある混合液体が出口から流出し、ブレードがきれいに洗浄されることを保証し、しかも洗浄する時に手が傷つくことを防止し、普及の価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。